(57)【要約】【課題】  カラスがゴミ押えネット内の生ゴミを荒らそうとする行動に呼応して威嚇発光するゴミ押えネット用のカラス忌避装置を提供する。【解決手段】  カラス忌避装置１０は、ＬＥＤ３１，３２を外部に現わして取り付けた外側ケース１１と、センシングワイヤ１４を有するスライダ１３を備える。外側ケース１１内には、スライダ１３の動きによって起電作用を発揮する可撓性の板状圧電素子が装着されている。カラス忌避装置１０は、ゴミ押えネットに取り付けて、カラスによるゴミ押えネットの動きを監視する。ゴミ押えネットが動くとＬＥＤ３１，３２が威嚇発光する。【選択図】  図１
2007110998.tif 000002
【特許請求の範囲】
【請求項１】
ＬＥＤを外部に現わして取り付けた外側ケースと、該外側ケースに内装され前記ＬＥＤに電気接続される可撓性の板状圧電素子と、前記外側ケースに案内されて外側ケースから進退動作するようにスライド動作するスライダと、該スライダに摺接する摺接板と、前記スライダと前記外側ケース間に介装されてスライダを無負荷位置に復帰させる復元ばねと、前記スライダに取り付けるセンシングワイヤとを備え、
前記摺接板とスライダとのいずれか一方に凹凸摺接部を形成するとともに、他方に該凹凸摺接部に摺接する摺接子を形成し、前記スライダのスライド動作によって前記凹凸摺接部と摺接子とを摺接させることによって発生する振動を前記板状圧電素子に伝達するようにしてなり、
前記外側ケースとセンシングワイヤの先端部とをゴミ押えネットの異なる２点に連結して使用することを特徴とするゴミ押えネット用のカラス忌避装置。
【請求項２】
それぞれ、ＬＥＤを外部に現わして取り付けた外側ケースと、該外側ケースに内装され前記ＬＥＤに電気接続される可撓性の板状圧電素子と、前記外側ケースに案内されて外側ケースから進退動作するようにスライド動作するスライダと、該スライダに摺接する摺接板と、前記スライダと前記外側ケース間に介装されてスライダを無負荷位置に復帰させる復元ばねとを備え、
前記摺接板とスライダとのいずれか一方に凹凸摺接部を形成するとともに、他方に該凹凸摺接部に摺接する摺接子を形成し、前記スライダのスライド動作によって前記凹凸摺接部と摺接子とを摺接させることによって発生する振動を前記板状圧電素子に伝達するようにした一対の単位ユニット装置と、一対の単位ユニット装置を連結するセンシングワイヤとからなり、
センシングワイヤは、所定間隔を保って建物の棟瓦等に固定する前記一対の単位ユニット装置のスライダとスライダとの間に張設することを特徴とする屋根部用のカラス忌避装置。
【発明の詳細な説明】
【技術分野】
【０００１】
本発明は、事前にゴミ押えネットに取り付けておき、ゴミ押えネット内の生ゴミを目的として飛来したカラスが、ゴミ押えネットに加える刺激を機械的に検出して発光威嚇することによって、カラスを忌避するようにしたゴミ押えネット用のカラス忌避装置、および、建物の屋根に飛来したカラスを検出して発光威嚇するようにした屋根部用のカラス忌避装置関する。
【背景技術】
【０００２】
カラスを忌避するための様々なカラス忌避用具が考案され、市場に提供されている。文献に著わされている代表的なものとしては、例えば、次のようなものがある。
【特許文献１】特開２００２−８４９６０号公報
【特許文献２】特開２００４−６５２３３号公報
【特許文献３】特開２００４−１８７６８１号公報
【０００３】
従来のカラス忌避用具においてカラスを忌避するために採用されている考え方は、例えば、防鳥糸や防鳥ネットのようにカラス等を実力的に阻止しようとする考え方に基づくもの（特許文献１参照）と、太陽光線の反射光によってカラス等を嚇そうとする考え方に基づくもの（特許文献２，特許文献３参照）と、不可解な形態や動きによってカラスの警戒心を煽ろうとするもの（特許文献２，特許文献３参照）との３種類に大別することができる。ただし、１種類の考え方のみで構成されているカラス忌避用具は、まれであって、通常は、２種類以上の考え方が併用されるのが実情である。
【０００４】
カラスの被害形態は多種多様に及ぶが、本発明では、主に一般家庭から定期的に排出される生ゴミ被害と、建物の屋根部に飛来するカラス被害の問題を扱う。
【０００５】
カラスによる生ゴミ散乱被害を阻止するために最も普通に利用されているのは、各家庭から決められた場所に持ち寄せられた生ゴミに覆い被せて用いるゴミ押えネットである。生ゴミに関する限り、ゴミ押えネットは、取扱いも容易で最も安定したカラス忌避性能を発揮することができるからである。しかし、カラスの方も生存がかかっている関係上、生ゴミ獲得に懸命であり、ゴミ押えネットのみでは、奏効しない事例が全国的に頻発する事態が発生している。ゴミ押えネットは、障害物ではあるが、無害であることがカラスによって学習され、ゴミ押えネットの取扱いがカラスによって習熟されたことによると考えられる。しかし、生ゴミに関しては、ゴミ押えネットに代わる実効性を発揮するカラス忌避用具は、他に見出すことができない。ゴミ押えネットは、カラスに学習されても障害物としての性能を残すことができるためである。
【０００６】
建物の屋根部に飛来するカラス被害の問題は、特に、歴史的に保存価値が認められる文化財に属する建造物や、景観維持価値が認められる風致区域における保存建造物について問題となるが、建物の屋根部については有効なカラス忌避用具が提供されていないようである。これは、従来のカラス忌避用具をこれらの建造物に適用した場合、カラス忌避装置そのものが景観等を損ねてしまうというジレンマに陥るからに他ならない。すなわち、これらの建造物に使用するカラス忌避装置は、人間に目立つことなくカラスを威嚇することができるという困難な問題を解決する必要がある。なお、建造物に関しては、ハトの飛来が問題となっている場合もあるが、同種の問題である。
【発明の開示】
【発明が解決しようとする課題】
【０００７】
ゴミ押えネット内の生ゴミをカラスがどのような手法で取り出すかを観察すると、幾つかの取出しパターンがあることが理解されて興味深い。
【０００８】
第１のパターンは、ゴミ押えネットの網目上から目標物が収納されたゴミ袋を根気よく突つき破り、内容物を網目を介して取り出すパターンである。このパターンは、網目が粗大なゴミ押えネットを使用している場合に多発するパターンである。この場合における生ゴミの散乱被害は、ゴミ押えネット内に止まるため軽くて済む。第２のパターンは、ゴミ押えネットの周縁部の浮いている部分から最寄りのゴミ袋を引っ張り出し、ゴミ押えネット外においてゴミ袋を突つき破って生ゴミを手に入れるパターンである。これは、生ゴミを出す人間のマナーの不行き届きに起因して発生し、散乱被害は広範囲に及ぶ。
【０００９】
第３のパターンは、驚きに値する。カラスは、先ず、目的物が入っているゴミ袋をゴミ押えネット越しに見定めし、ゴミ押えネット上からそのゴミ袋を咥えて引き寄せる動作を実行する。この結果、ゴミ袋は、弛んでいたゴミ押えネットが緊張するに至る距離、ゴミ押えネットの周縁部側に移動する。カラスは、咥えていたゴミ袋を一旦離す。すると、ゴミ袋はその位置において停止しているのに対し、引っ張り外力を失ったゴミ押えネットは、もとの弛んだ状態に復帰するようにゴミ袋上を移動する。そして、カラスがこのような動作を１０回ないし２０回程反復することにより、ゴミ袋は、ついにゴミ押えネットの周縁部にまで移動するに至り、カラスは、まんまと獲物を獲得する訳である。なお、ゴミを荒らしているカラスは決して鳴かないので、発見したときには、いつも後の祭りである。ゴミ収集車に、箒と塵取りを持った職員を同乗させる行政地区もあらわれる始末である。
【００１０】
建物の屋根部に飛来するカラスについては、水平姿勢の棟瓦に整列するように止まるのが観察される。屋根勾配の部分では、羽根を休めることができないからであろうと思われる。
【００１１】
本発明は、カラスがゴミ押えネット内から生ゴミを取り出す行動や、屋根部に飛来する際の行動の分析結果に基づいて案出されてものであり、ゴミ押えネットの取扱い性を損なうことなく、ゴミ押えネットに対して、カラスが生ゴミを取り出そうとする動作や、建物の屋根部に飛来する行動に関連付けした嚇し効果を発揮することができるゴミ押えネット用のカラス忌避装置、および屋根部用のカラス忌避装置を提供することを目的とする。
【課題を解決するための手段】
【００１２】
この目的を達成するための手段として、本発明は、次のような構成を採用する。
【００１３】
本発明の請求項１に記載のゴミ押えネット用のカラス忌避装置は、ＬＥＤを外部に現わして取り付けた外側ケースと、外側ケースに内装されＬＥＤに電気接続される可撓性の板状圧電素子と、外側ケースに案内されて外側ケースから進退動作するようにスライド動作するスライダと、スライダに摺接する摺接板と、スライダと外側ケース間に介装されてスライダを無負荷位置に復帰させる復元ばねと、スライダに取り付けるセンシングワイヤとを備え、摺接板とスライダとのいずれか一方に凹凸摺接部を形成するとともに、他方に該凹凸摺接部に摺接する摺接子を形成し、スライダのスライド動作によって凹凸摺接部と摺接子とを摺接させることによって発生する振動を板状圧電素子に伝達するようにしてなり、外側ケースとセンシングワイヤの先端部とをゴミ押えネットの異なる２点に連結して使用することを特徴とする。
【００１４】
上記のカラス忌避装置において、外側ケースとセンシングワイヤの先端部とがゴミ押えネットの異なる２点に連結されていることから、カラスがゴミ押えネットに加える様々な種類の刺激をゴミ押えネットの異なる２点間の距離の変化、すなわち、外側ケースとスライダの相対運動として検出することができる。この結果として外側ケースに対してスライダがスライド動作すると、凹凸摺接部と摺接子とが互いに摺接し、振動を発生する。この振動は、可撓性の板状圧電素子に伝達され、所定の起電作用を発揮する。そこで、板状圧電素子に電気接続されている外側ケースのＬＥＤが発光する。通常、カラスは、ＬＥＤの発光程度の嚇しには脅えないのであるが、このカラス忌避装置における発光がカラスの動作に連動していることにより、カラスは、そこに何らかの人為的仕掛けの存在を感知して逃避するのである。また、外側ケースのＬＥＤは、通常は、点灯していないのでカラスに学習される時間を与えることがなく、忌避効果を持続させることができる。
【００１５】
本発明の請求項２に記載の屋根部用のカラス忌避装置は、それぞれ、ＬＥＤを外部に現わして取り付けた外側ケースと、外側ケースに内装されＬＥＤに電気接続される可撓性の板状圧電素子と、外側ケースに案内されて外側ケースから進退動作するようにスライド動作するスライダと、スライダに摺接する摺接板と、スライダと外側ケース間に介装されてスライダを無負荷位置に復帰させる復元ばねとを備え、摺接板とスライダとのいずれか一方に凹凸摺接部を形成するとともに、他方に凹凸摺接部に摺接する摺接子を形成し、スライダのスライド動作によって凹凸摺接部と摺接子とを摺接させることによって発生する振動を板状圧電素子に伝達するようにした一対の単位ユニット装置と、一対の単位ユニット装置を連結するセンシングワイヤとからなり、センシングワイヤは、所定間隔を保って建物の棟瓦等に固定する一対の単位ユニット装置のスライダとスライダとの間に張設することを特徴とする。
【００１６】
このカラス忌避装置の構成は、請求項１に記載のカラス忌避装置を単位ユニット装置として、これを一対として各単位ユニット装置のスライダ間にセンシングワイヤを張設したものに相当する。すなわち、センシングワイヤの長さの範囲において、センシングワイヤに接触するカラスを直接検出して一対の単位ユニット装置におけるＬＥＤを同時に発光させてカラスを威嚇することができる。また、センシングワイヤ自体は、独立に防鳥糸としても機能することができる。
【発明の効果】
【００１７】
本発明に係るゴミ押えネット用のカラス忌避装置は、既成のゴミ押えネットに取り付けるという簡単な手数で設置することができ、常時作動するのではなく、カラスがゴミ押えネット内の生ゴミを取り出そうとする際にのみ、カラスがゴミ押えネットに加える刺激を検出し、この刺激をエネルギ源としてＬＥＤを発光させるようにカラスの動作に呼応して作動するので、カラスの立場から見た場合において予見可能性が皆無であり、極めて高いカラス忌避効果を発揮することができるとともに、通常、カラスに学習される機会を与えることがないので、カラス忌避効果を長期間に亘って持続させることができる。
【００１８】
本発明の屋根部用のカラス忌避装置は、屋根部の棟瓦等に沿ってセンシングワイヤを張設する形態で設置するので、棟瓦に飛来するカラスやハトに対してセンシングワイヤを防鳥糸として機能させることができるとともに、センシングワイヤを無視してカラス等が飛来した場合には、センシングワイヤを介して単位ユニット装置のＬＥＤが威嚇発光することにより、カラス等を忌避することができる。また、ＬＥＤの電源には、板状圧電素子を用いているので、装置を目立たない小型に形成することが可能であり、屋根部に上がっての電池交換等のメンテナンス作業も不用である。
【発明を実施するための最良の形態】
【００１９】
以下、図面を引用しながら本発明に係るゴミ押えネット用のカラス忌避装置、および、屋根部用のカラス忌避装置の実施の形態を説明する。
【００２０】
ゴミ押えネット用のカラス忌避装置１０は、威嚇発光用の発光素子として高輝度のＬＥＤ３１，３２を取り付けた外側ケース１１と、外側ケースに１１によって水密に保護された発電機構とからなる（図１，図２）。
【００２１】
外側ケース１１は、いずれも樹脂製の箱本体１１Ｂと蓋板１１Ａとからなる箱体であり、箱本体１１Ｂと蓋板１１Ａとは、シール材を介してねじ１１Ｅ…によって一体化する構造である。箱本体１１Ｂの左右には、固定用の一対のブラケット１１Ｃ，１１Ｃが突設されている。蓋板１１Ａの表面には、環状の反射板１１Ｄが貼着され、４個のＬＥＤ３１，３２，３１，３２が配設されている。この際、２個のＬＥＤ３１，３２が電気的に一対として使用される。箱本体１１Ａの一側面には、ガイド孔１１Ｆが設けられ、発電機構の一部であるスライダ１３の先端部が突出している。スライダ１３の先端部には、ねじキャップ１３Ａによってセンシングワイヤ１４の一端が固定されている。センシングワイヤ１４の先端部には、止め金具１４Ａが取り付けられている。
【００２２】
スライダ１３は、外側ケース１１の中央に位置し、前端部をガイド孔１１Ｆによって支持されたスライダ１３の後端部は、箱本体１１Ｂに一体成形されたガイド筒１１Ｇによってスライド動作可能に支持されている（図２）。
【００２３】
スライダ１３の中間部には、鍔状の摺接子１５が固定され、スライダ１３の外側には、この摺接子１５と箱本体１１Ｂとの間に末端を支持する復元ばね１６が嵌め込まれている。スライダ１３は、センシングワイヤ１４を介して引いた際に、ガイド孔１１Ｆとガイド筒１１Ｇによって姿勢制御されながら復元ばね１６を圧縮し、外側ケース１１の外側に進出する方向にスライド動作し、センシングワイヤ１４を開放すると原位置に復帰するように往復動作をすることができる。
【００２４】
スライダ１３の左右位置には、一対の摺接板１７，１７が箱本体１１Ｂによって揺動自在にカンチレバ支持されている。一対の摺接板１７，１７には、それぞれ、凹凸摺接部１７Ａ，１７Ａが形成され、凹凸摺接部１７Ａ，１７Ａを介してスライダ１３の摺接子１５を挟むことができるように配置されている。
【００２５】
一対の摺接板１７，１７の左右位置には、一対の板状圧電素子１８，１８が、一端を箱本体１１Ｂに固定した状態でカンチレバ支持されている。この板状圧電素子１８，１８は、本来の起電作用の他に、板ばねとして機能することができるものであり、その先端部によって、一定の預圧力で摺接板１７，１７の先端部をスライダ１３側に付勢している。したがって、スライダ１３の摺接子１５は、一対の摺接板１７，１７によって左右方向から弾性的に挟み込まれた状態となっている。
【００２６】
各板状圧電素子１８は、ガラスエポキシ基板１８Ａの表裏面にセラミック系の感圧組成物層１８Ｂを形成し、基板に加わえられる曲げ応力によって所定の起電作用を発揮することができるように構成された既製品である（図３）。板状圧電素子１８，１８の一端からは、リード線１８Ｊ，１８Ｊを引き出し、それぞれ一対のＬＥＤ３１，３２に電気接続してある。なお、一対のＬＥＤ３１，３２のうち、いずれか１個は、逆極性として接続している。この種の素子の発電特性は、交流であり、一対のＬＥＤ３１，３２が交替で発光するようにするためである。また、摺接板１７に接触する板状圧電素子１８の他端には、保護キャップ１８Ｔを取り付けている。なお、この種の圧電素子には、可撓性のシートを基板として採用する製品もあり（例えば、特開２００１−２８９７１８号公報、特開２００２−２５６１号公報）、このような素子の場合には、板ばねに貼着することによって同様の使用方法が可能であると思われる。
【００２７】
上記ゴミ押えネット用のカラス忌避装置１０は、ゴミ押えネット４０に取り付けて使用する（図４）。取り付け要領は、外側ケース１１をゴミ押えネット４０の動き難い位置に紐等で固定し、センシングワイヤ１４の先端部をゴミ押えネット４０の周縁部に固定する。カラスがゴミ押えネット４０から生ゴミを引き出す際には、必ずゴミ押えネット４０の周縁部を動かすからである。
【００２８】
ゴミ押えネット４０の周縁部の動きは、センシングワイヤ１４を介してスライダ１３に伝達され、スライダ１３がゴミ押えネット４０の動きに呼応して進退動作する。このときスライダ１３の摺接子１５が摺接板１７，１７の凹凸摺接部１７Ａ，１７Ａと干渉し、摺接板１７，１７が振動する。この振動は、摺接板１７，１７に接触している一対の板状圧電素子１８，１８に伝達され、４個のＬＥＤ３１，３２，３１，３２が交互に点滅するように威嚇発光し、カラスを撃退することができる。
【００２９】
本発明の屋根部用のカラス忌避装置は、一対の単位ユニット装置１０Ａ，１０Ｂのスライダ１３，１３相互間をセンシングワイヤ１４で連結してなる（図５）。各単位ユニット装置１０Ａ，１０Ｂの主要な構成および機能は、上述したゴミ押えネット用のカラス忌避装置１０と同じである。したがって、主に、異なる点について説明する。
【００３０】
各単位ユニット装置１０Ａ，１０Ｂの外側ケース１１の蓋板１１Ａには、三角突出部１１Ｍが突設され、２対のＬＥＤ３１，３２，３１，３２は、三角突出部１１Ｍのスライダ１３の進出方向に向いた傾斜面に取り付けられている。また、箱本体１１Ｂの裏面側には、下面をアーチ型に形成した発泡ゴム製のパッド１１Ｋが取り付けられている。固定用のブラケット１１Ｃ，１１Ｃは、箱本体１１Ｂの長さ中央位置に取り付けられ、一対の掛止金具１１Ｇ，１１Ｇが付属する。掛止金具１１Ｇ，１１Ｇは、棟瓦２１の下端部２１Ｂ，２１Ｂに掛止するためのものである。
【００３１】
一対の単位ユニット装置１０Ａ，１０Ｂは、互いに向かい合う姿勢で屋根部２０の棟瓦２１…上に設置して用いる（図６，図７）。各単位ユニット装置１０Ａ，１０Ｂは、棟瓦２１の下端部に左右の掛止金具１１Ｇ，１１Ｇを掛け、箱本体１１Ｂのブラケット１１Ｃ，１１Ｃと掛止金具１１Ｇ，１１Ｇとを瓦葺き用の銅線等で連結することにより安定かつ容易に固定することができる。センシングワイヤ１４は、スライダ１３，１３が僅かに作動する程度の長さに調製する。なお、一対の単位ユニット装置１０Ａ，１０Ｂ間の相互間隔は、余り長くしないことが好ましい。長くする場合には、中間にセンシングワイヤ１４を挿通する形態のガイド等を設けるのがよい。
【００３２】
このような設置状態においては、カラスはセンシングワイヤ１４が障害となって上手く着地できないため、カラスは、屋根部２０に近づかなくなる。また、無理に着地したカラスは、センシングワイヤ１４に検出され、左右方向から威嚇発光を受けるため、即時に逃散する。なお、本発明に係る屋根部用のカラス忌避装置は、上記用途の他、固定用の金具等を工夫することにより、カラスが寄り付き易い公園傍のフェンスや、陸屋根のパラペット、手すり等に取り付けて利用することもできる。
【図面の簡単な説明】
【００３３】
【図１】ゴミ押えネット用のカラス忌避装置の実施の形態を示す斜視図である。
【図２】上記カラス忌避装置の横断面図である。
【図３】上記カラス忌避装置におけるＬＥＤの配線図である。
【図４】上記カラス忌避装置の使用状態の説明図である。
【図５】屋根部用のカラス忌避装置の実施の形態を示す斜視図である。
【図６】上記カラス忌避装置の設置方法の説明図である。
【図７】上記カラス忌避装置の使用状態の説明図である。
【符号の説明】
【００３４】
１０      ゴミ押えネット用のカラス忌避装置
１０Ａ    単位ユニット装置
１０Ｂ    単位ユニット装置
１１      外側ケース
１３      スライダ
１４      センシングワイヤ
１５      摺接子
１６      復元ばね
１７      摺接板
１７Ａ    凹凸摺接部
１８      板状圧電素子
【図１】
2007110998.tif 000003
【図２】
2007110998.tif 000004
【図３】
2007110998.tif 000005
【図４】
2007110998.tif 000006
【図５】
2007110998.tif 000007
【図６】
2007110998.tif 000008
【図７】
2007110998.tif 000009